(57)【要約】      （修正有）【課題】在宅での健康管理、健康診断の支援を容易ならしめ、テストを受ける者の健康状態を網羅的に多数の項目にわたってもれなくテストし、しかもこれを低廉な費用で行うことのできる健康管理支援システム及び健康管理支援方法を提供する。【解決手段】健康状態についてテストを受ける被検者の健康状態に関する情報を取得して被検者情報データベースに登録する工程と、被検者の体毛を利用して量子共鳴分析器による分析を行うＱＲＳテスト工程と、前記ＱＲＳテスト工程で得た分析結果をテスト結果データベースに登録する工程と、被検者情報データベース及びテスト結果データベースに格納されている情報に基づいて各被検者ごとにテスト結果報告情報を作成するテスト結果報告情報作成工程とを備えている健康管理支援システム及び方法。【選択図】図２
2007072738.tif 000002
【特許請求の範囲】
【請求項１】
健康状態についてテストを受ける被検者の健康状態に関する情報を格納する被検者情報データベースと、
被検者の健康状態に関するテスト結果情報を格納するテスト結果データベースと、
被検者の健康状態に関する情報を被検者情報データベースに登録して管理する被検者情報管理手段と、
被検者の体毛を利用して行った量子共鳴分析器による分析結果をテスト結果データベースに登録して管理するＱＲＳテスト情報管理手段と、
被検者情報データベース及びテスト結果データベースに格納されている情報に基づいて各被検者ごとにテスト結果報告情報を作成するテスト結果報告情報作成手段と
を備えていることを特徴とする健康管理支援システム。
【請求項２】
被検者情報データベースに格納されている所定の時間間隔をあけて取得された被検者の健康状態に関する情報及び、テスト結果データベースに格納されている、前記所定の時間間隔をあけて実施された被検者の体毛を利用して行う量子共鳴分析器による分析結果の情報に基づいて各被検者ごとにテスト結果履歴報告情報を作成するテスト結果履歴報告情報作成手段
を更に備えていることを特徴とする請求項１記載の健康管理支援システム。
【請求項３】
健康状態についてテストを受ける被検者の健康状態に関する情報を取得して被検者情報データベースに登録する工程と、
被検者の体毛を利用して量子共鳴分析器による分析を行うＱＲＳテスト工程と、
前記ＱＲＳテスト工程で得た分析結果をテスト結果データベースに登録する工程と、
被検者情報データベース及びテスト結果データベースに格納されている情報に基づいて各被検者ごとにテスト結果報告情報を作成するテスト結果報告情報作成工程と
を備えてなる健康管理支援方法。
【請求項４】
テスト結果報告情報作成工程で作成した各被検者ごとのテスト結果報告情報を各被検者に通知する工程と、
各被検者が受領した前記各被検者ごとのテスト結果報告情報を参照して各被検者ごとに健康管理支援のコンサルティングを行う工程と
を更に備えていることを特徴とする請求項３記載の健康管理支援方法。
【請求項５】
テスト結果報告情報が既に作成されている被検者から、当該テスト結果報告情報作成後、所定の時間間隔をあけて健康状態に関する情報を取得して被検者情報データベースに登録する工程と、
当該テスト結果報告情報が既に作成されている被検者の体毛を利用して量子共鳴分析器による分析を行うＱＲＳテスト工程と、
前記ＱＲＳテスト工程で得た分析結果をテスト結果データベースに登録する工程と、
被検者情報データベース及びテスト結果データベースに格納されている情報に基づいて各被検者ごとにテスト結果履歴報告情報を作成するテスト結果履歴報告情報作成工程と
を更に備えてなる請求項４記載の健康管理支援方法。
【請求項６】
テスト結果履歴報告情報作成工程で作成した各被検者ごとのテスト結果履歴報告情報を各被検者に通知する工程と、
各被検者が受領した前記各被検者ごとのテスト結果履歴報告情報を参照して各被検者ごとに健康管理支援のコンサルティングを行う工程と
を更に備えていることを特徴とする請求項５記載の健康管理支援方法。
【発明の詳細な説明】
【技術分野】
【０００１】
この発明は、低廉な費用で、かつ簡便に、自己の健康状態や、飼育しているペットの健康状態を把握し、自己の健康管理や、飼育するペットの健康管理を図ることに適した健康管理支援システム及び健康管理支援方法に関する。
【背景技術】
【０００２】
世界一の長寿国となったわが国において、国民一人ひとりの健康管理、疾患・疾病の予防、老化防止は重要な課題になっている。また、国民全世帯の３２％が犬、猫などのペットを飼育しているという状況の下で、人間だけでなく、ペットの健康管理、疾患・疾病の予防、老化防止も、ペットを飼育する人にとって重要な課題になっている。
【０００３】
一方、医療費・介護費が国家予算を逼迫させているという状況の下で、厚生労働省は２００６年度医療制度改革の柱として「生活習慣病の予防対策＝国民皆検診体制の強化」を打ち出している。
【０００４】
しかし、健康組合などの主導で行われる検診や人間ドックでは、検診項目が一律であるため、組合員個々の実態を捉えることが難しく、一方、組合員の生活習慣が多様化することにより個々の健康問題の把握が困難になり、ストレスや環境などからの外的要因による影響が大きくなってきているにもかかわらず、その因果関係や影響を測定することが難しいという問題がある。
【０００５】
また、個々の組合員は、仕事を理由に受信しなかったり、再検査の指示を受けてもそれを放置する場合などがあり、更には、検診時の直前数日間のみ良好な生活を行って「よい検診結果」を得ようとすることもあるため、実態を把握することが難しいという問題がある。
【０００６】
更に、組合員の扶養家族や、子供、あるいは高齢者などの場合には、医療機関に出かけるわずらわしさ（多くの時間と治療費を要する）から、なかなか受診を行わず、かなり病状が進行してから、いきなり病院に行くことにより、かえって、高額の医療費が発生することがある。
【０００７】
このようなことから、人間に関しては、病院などに出かけず、自宅に居ながら健康状態について判断を受け、疾病・疾患の予防、早期発見、早期治療を目指す提案がなされている（例えば、特許文献１）。
【特許文献１】特開２００５−２２４３５４号公報
【発明の開示】
【発明が解決しようとする課題】
【０００８】
前記特許文献１記載の発明は、在宅での健康管理、健康診断の支援が容易にできることを目的にしたものであるが、その検診項目の網羅性、費用の低廉性、人間だけでなく、飼育しているペットの健康管理にも利用できる点などにおいて、改善する余地があった。
【０００９】
本発明は、国民一人ひとりの健康管理、疾患・疾病の予防、老化防止、また、飼育しているペットの健康管理、疾患・疾病の予防、老化防止のために、健康状態についてテストを受ける者（例えば、人間や、人間に飼育されている犬や猫などのペット）の健康状態を、病院などに出かけることなく在宅でテストすることが可能であり、これによって、在宅での健康管理、健康診断の支援を容易ならしめる健康管理支援システム及び健康管理支援方法であって、健康状態についてテストを受ける者（例えば、人間や、人間に飼育されている犬や猫などのペット）の健康状態を網羅的に多数の項目にわたってもれなくテストし、しかもこれを低廉な費用で行うことのできる健康管理支援システム及び健康管理支援方法を提案することを目的にしている。
【課題を解決するための手段】
【００１０】
前記目的を達成するため、健康管理支援システムは、健康状態についてテストを受ける被検者の健康状態に関する情報を格納する被検者情報データベースと、被検者の健康状態に関するテスト結果情報を格納するテスト結果データベースと、被検者の健康状態に関する情報を被検者情報データベースに登録して管理する被検者情報管理手段と、被検者の体毛を利用して行った量子共鳴分析器による分析結果をテスト結果データベースに登録して管理するＱＲＳテスト情報管理手段と、被検者情報データベース及びテスト結果データベースに格納されている情報に基づいて各被検者ごとにテスト結果報告情報を作成するテスト結果報告情報作成手段とを備えているものである。
【００１１】
前記の健康管理支援システムは、更に、被検者情報データベースに格納されている所定の時間間隔をあけて取得された被検者の健康状態に関する情報及び、テスト結果データベースに格納されている、前記所定の時間間隔をあけて実施された被検者の体毛を利用して行う量子共鳴分析器による分析結果の情報に基づいて各被検者ごとにテスト結果履歴報告情報を作成するテスト結果履歴報告情報作成手段を備えている構成にすることができる。
【００１２】
次に、前記目的を達成するため、この発明が提案する健康管理支援方法は、健康状態についてテストを受ける被検者の健康状態に関する情報を取得して被検者情報データベースに登録する工程と、被検者の体毛を利用して量子共鳴分析器による分析を行うＱＲＳテスト工程と、前記ＱＲＳテスト工程で得た分析結果をテスト結果データベースに登録する工程と、被検者情報データベース及びテスト結果データベースに格納されている情報に基づいて各被検者ごとにテスト結果報告情報を作成するテスト結果報告情報作成工程とを備えてなるものである。
【００１３】
この本発明の健康管理支援方法において、テスト結果報告情報作成工程で作成した各被検者ごとのテスト結果報告情報を各被検者に通知する工程と、各被検者が受領した前記各被検者ごとのテスト結果報告情報を参照して各被検者ごとに健康管理支援のコンサルティングを行う工程とを更に備えているようにすることもできる。
【００１４】
また、テスト結果報告情報が既に作成されている被検者から、当該テスト結果報告情報作成後、所定の時間間隔をあけて健康状態に関する情報を取得して被検者情報データベースに登録する工程と、当該テスト結果報告情報が既に作成されている被検者の体毛を利用して量子共鳴分析器による分析を行うＱＲＳテスト工程と、前記ＱＲＳテスト工程で得た分析結果をテスト結果データベースに登録する工程と、被検者情報データベース及びテスト結果データベースに格納されている情報に基づいて各被検者ごとにテスト結果履歴報告情報を作成するテスト結果履歴報告情報作成工程とを更に備えているようにすることもできる。
【００１５】
そして、この場合、テスト結果履歴報告情報作成工程で作成した各被検者ごとのテスト結果履歴報告情報を各被検者に通知する工程と、各被検者が受領した前記各被検者ごとのテスト結果履歴報告情報を参照して各被検者ごとに健康管理支援のコンサルティングを行う工程とを更に備えているようにすることができる。
【発明の効果】
【００１６】
この発明によれば、健康状態についてテストを受ける者（例えば、人間や、人間に飼育されている犬や猫などのペット）、すなわち被検者の健康状態を、被検者の体毛を利用して行う量子共鳴分析器による分析によってテストすることにより、人間や、犬、猫などのペットの健康状態を指標する非常に多くの項目について網羅的にデータを収集し、人間や、犬、猫などのペットの健康状態を把握することができる。
【００１７】
これにより、健康状態についてテストを受ける者（例えば、人間や、人間に飼育されている犬や猫などのペット）は、病院などに出かけることなく、在宅で、健康状態に関して網羅的に、しかも低廉な費用でテスト結果を受け取ることができる。
【００１８】
そして、このテスト結果に基づくコンサルティング（例えば、電話での相談や、栄養・運動などに関する生活指導、専門医の紹介、など）により、前記テストを受けた者（人間や、人間に飼育されている犬や猫などのペット）は、効果的に健康を管理し、疾患・疾病の予防、老化防止を図ることができる。
【００１９】
これにより、不要な医療費が嵩むことを効果的に抑制できる。
【発明を実施するための最良の形態】
【００２０】
以下、添付図面を参照して本発明の好ましい実施形態を説明する。
【００２１】
図１は、本発明の健康管理支援システム１の構成概要の一例を説明する図である。
【００２２】
例えば、汎用コンピュータなどのコンピュータによって実現される本発明の健康管理支援システム１は、被検者情報管理手段２、ＱＲＳテスト情報管理手段３、テスト結果報告情報作成手段４、テスト結果履歴報告情報作成手段５、被検者情報データベース６、テスト結果データベース７を備えている。
【００２３】
被検者情報データベース６は、健康状態についてテストを受ける被検者（例えば、人間や、人間に飼育されている犬や猫などのペット）の健康状態に関する情報を被検者を特定する情報に関連付けて被検者ごとに格納するデータベースであり、テスト結果データベース７は、被検者の健康状態に関するテスト結果情報を被検者を特定する情報に関連付けて被検者ごとに格納するデータベースである。
【００２４】
被検者情報管理手段２、ＱＲＳテスト情報管理手段３、テスト結果報告情報作成手段４、テスト結果履歴報告情報作成手段５は、コンピュータのＣＰＵからなる演算処理部が、本発明の健康管理支援システム及び健康管理支援方法をコンピュータにおいて実行させるためのコンピュータプログラムの指示の下に以下に説明する処理動作を実行するコンピュータの処理動作部である。
【００２５】
すなわち、被検者情報管理手段２は、被検者の健康状態に関する情報を被検者情報データベース６に登録して管理し、ＱＲＳテスト情報管理手段３は、被検者の体毛を利用して行った量子共鳴分析器による分析結果をテスト結果データベース７に登録して管理し、テスト結果報告情報作成手段４は、被検者情報データベース６及びテスト結果データベース７に格納されている情報に基づいて各被検者ごとにテスト結果報告情報を作成し、テスト結果履歴報告情報作成手段５は、被検者情報データベース６に格納されている所定の時間間隔をあけて取得された被検者の健康状態に関する情報及び、テスト結果データベース７に格納されている、前記所定の時間間隔をあけて実施された被検者の体毛を利用して行う量子共鳴分析器による分析結果の情報に基づいて各被検者ごとにテスト結果履歴報告情報を作成する処理を行う。
【００２６】
次に、図２を参照しながら、前述した本発明の健康管理支援システム１による本発明の健康管理支援方法の一例を説明する。
【００２７】
まず、健康状態についてテストを受ける被検者（例えば、人間や、人間に飼育されている犬や猫などのペット）の健康状態に関する情報を取得して被検者情報データベース６に登録する工程が行われる。
【００２８】
ここでは、例えば、図３に例示される申込書を利用して被検者がテスト申し込みを行うと共に、図４、図５に例示される問診表に記入して、本発明の健康管理支援システム１を提供する健康管理支援機関に提出する（ステップ１０１）。この際、被検者が現在服用している薬やサプリメントが自己の身体にあっているかどうか、その相関関係のテストをも希望する場合には、図６に例示されるような依頼書を作成し、薬やサプリメントの実物を健康管理支援機関に提出する。
【００２９】
また、被検者は、この際に、後述する量子共鳴分析器による分析に供するため、被検者の体毛、例えば、被検者が人間である場合には２０〜３０本の髪の毛や、被検者が人間に飼育されている犬や猫などのペットである場合には、ペットの２０〜３０本の体毛を健康管理支援機関に提供する。
【００３０】
ついで、健康管理支援機関は、提出された申込書（図３）、問診表（図４、図５）、依頼書（図６）などを参照して、被検者の健康状態に関する情報、すなわち被検者情報を作成し（ステップ１０２）、被検者情報管理手段２により、当該被検者情報（被検者の健康状態に関する情報）を被検者を特定する情報に関連付けて被検者情報データベース６に登録する。
【００３１】
次に、被検者の体毛を利用して量子共鳴分析器による分析を行うＱＲＳテスト工程が実施される（ステップ１０３）。
【００３２】
量子共鳴分析器（Quantum Resonan Spectrometer、本明細書、特許請求の範囲、図面において、単に「ＱＲＳ」と表示することがある）は、ＱＲＳ機器メーカーである、例えば、株式会社量子科学研究所によって提供されるものであり、生体のさまざまな情報をテストし、種々の診断に活用することができる。例えば、図７（ａ）に例示する約１６００項目の全身（生理的・心理的）機能及び相関関係をテストすることが可能であり、図７（ｂ）に例示する種々のテストに活用することが可能で、更に、図７（ｃ）に例示する種々の生活習慣病のテストに利用することができる。
【００３３】
健康管理支援機関が量子共鳴分析器による分析（すなわち、図７（ａ）〜（ｃ）に例示されている種々の項目、テストのうち、図３に例示されている「申込書」で被検者からテスト申し込みが行われた項目について行ったテスト）の結果（すなわち、ＱＲＳテスト結果情報）を取得すると（ステップ１０４）、ＱＲＳテスト情報管理手段３によって、ＱＲＳテスト工程で得た分析結果を、被検者を特定する情報に関連付けてテスト結果データベース７に登録する工程が実行される。
【００３４】
次いで、被検者情報データベース６及びテスト結果データベース７に格納されている情報に基づいて各被検者ごとにテスト結果報告情報を作成するテスト結果報告情報作成工程が実行される。
【００３５】
すなわち、テスト結果報告情報作成手段４によって、被検者情報データベース６及びテスト結果データベース７に格納されている情報に基づいて各被検者ごとにテスト結果報告情報が作成される（ステップ１０５）。
【００３６】
このステップ１０５の工程で作成された各被検者ごとのテスト結果報告情報は、例えば、図８に例示されているように、図３に例示されている「申込書」で被検者からテスト申し込みが行われた項目について＋２０〜−２０の範囲で数値化して示され（＋２０が良好、−２０が不良）、更に、数値がよくない傾向にある場合には、図８の「前立腺」の項目や、「肝臓」の項目にあるように、被検者に対するアドバイス、指導のコメントが記入される。
【００３７】
次いで、前記のテスト結果報告情報作成工程（ステップ１０５）で作成した各被検者ごとのテスト結果報告情報を各被検者に通知する工程（ステップ１０６）が実行され（例えば、郵送などの手段によって被検者（人間が飼育しているペットが被検者である場合には、当該ペットを飼育している人間）に通知される。
【００３８】
この後、健康管理支援機関が、前記のテスト結果報告情報（例えば、図８図示）を受領した各被検者（人間が飼育しているペットが被検者である場合には、当該ペットを飼育している人間）へ、例えば、電話などで連絡し、各被検者が受領した前記各被検者ごとのテスト結果報告情報を参照して各被検者ごとに健康管理支援のコンサルティングを行う工程（ステップ１０７）が実行される。例えば、専門医を紹介したり、生活指導（栄養や、運動、生活習慣の改善指導）を行うといった具体的なコンサルティングがなされる。
【００３９】
また、テスト結果報告情報が既に作成されている被検者から、当該テスト結果報告情報作成後、所定の時間間隔（例えば、３カ月程度）をあけて、図４、図５図示のような問診表などを利用して、健康状態に関する情報を取得して、前述したステップ１０２、１０３により被検者情報を作成して、被検者情報管理手段２により、これを被検者情報データベース６に登録する工程と、当該テスト結果報告情報が既に作成されている被検者の体毛を利用して量子共鳴分析器による分析を行うＱＲＳテスト工程（２回目のＱＲＳテストに該当するステップ１０８）と、前記ＱＲＳテスト工程で得た分析結果をテスト結果データベース７に登録する工程と、被検者情報データベース６及びテスト結果データベース７に格納されている情報に基づいて各被検者ごとにテスト結果履歴報告情報を作成するテスト結果履歴報告情報作成工程とを更に備えているようにすることができる。
【００４０】
このテスト結果履歴報告情報作成工程は、テスト結果履歴報告情報作成手段５によって行われ、経過情報の作成、時系列的評価（ステップ１０９）が行われることになる。
【００４１】
このテスト結果履歴報告情報作成手段５によって行われる、テスト結果履歴報告情報作成工程で作成されるテスト結果履歴報告情報は、例えば、図９に例示されるもののようになり、今回のテスト結果と前回のテスト結果、前々回のテスト結果とを簡単に、かつ、視覚的に比較検討できるようになる。
【００４２】
なお、この場合、テスト結果履歴報告情報作成工程で作成した各被検者ごとのテスト結果履歴報告情報（例えば、図９図示）を各被検者に通知する工程と、各被検者が受領した前記各被検者ごとのテスト結果履歴報告情報を参照して各被検者ごとに健康管理支援のコンサルティングを行う工程とがさらに実行されるようにすることもできる。
【００４３】
図２に例示したフローチャートでは、２回目のＱＲＳテスト（ステップ１０８）、経過情報の作成、時系列的評価（ステップ１０９）までになっているが、その後、所定の時間間隔（例えば、３カ月程度）をあけて、同様の工程を繰り返すことができる。
【図面の簡単な説明】
【００４４】
【図１】本発明の健康管理支援システムの構成概要の一例を説明する図。
【図２】本発明の健康管理支援方法が実行される工程の一例を説明するフロー図。
【図３】本発明の健康管理支援方法が実行される工程中の、健康状態についてテストを受ける被検者（人間や、人間に飼育されている犬や猫などのペット）の健康状態に関する情報を取得して被検者情報データベースに登録する工程で、被検者が提出する「申込書」の書式の一例を表す図。
【図４】本発明の健康管理支援方法が実行される工程中の、健康状態についてテストを受ける被検者（人間や、人間に飼育されている犬や猫などのペット）の健康状態に関する情報を取得して被検者情報データベースに登録する工程で、被検者が提出する「問診表」の書式の一例を表す図。
【図５】本発明の健康管理支援方法が実行される工程中の、健康状態についてテストを受ける被検者（人間や、人間に飼育されている犬や猫などのペット）の健康状態に関する情報を取得して被検者情報データベースに登録する工程で、被検者が提出する「問診表」の書式の他の一例を表す図。
【図６】本発明の健康管理支援方法が実行される工程中の、健康状態についてテストを受ける被検者（人間や、人間に飼育されている犬や猫などのペット）の健康状態に関する情報を取得して被検者情報データベースに登録する工程で、被検者が現在服用している薬やサプリメントが自己の身体にあっているかどうか、その相関関係のテストをも希望する場合に提出する「依頼書」の書式の一例を表す図。
【図７】本発明の健康管理支援システム及び健康管理支援方法で行われる量子共鳴分析器（Quantum Resonan Spectrometer）を用いた分析によりテストすることのできる項目などを説明する図であって、（ａ）は全身（生理的・心理的）機能及び相関関係をテストすることが可能な約１６００項目を例示する図、（ｂ）はこの分析、テストが活用可能な項目を例示する図、（ｃ）はこの分析、テストが活用可能な生活習慣病などを例示する図。
【図８】テスト結果報告情報作成手段によって被検者情報データベース及びテスト結果データベースに格納されている情報に基づいて各被検者ごとに作成されるテスト結果報告情報の一例を表す図。
【図９】テスト結果履歴報告情報作成手段によって被検者情報データベース及びテスト結果データベースに格納されている情報に基づいて各被検者ごとに作成されるテスト結果履歴報告情報の一例を表す図。
【符号の説明】
【００４５】
１  健康管理支援システム
２  被検者情報管理手段
３  ＱＲＳテスト情報管理手段
４  テスト結果報告情報作成手段
５  テスト結果履歴報告情報作成手段
６  被検者情報データベース
７  テスト結果データベース
【図１】
2007072738.tif 000003
【図２】
2007072738.tif 000004
【図３】
2007072738.tif 000005
【図４】
2007072738.tif 000006
【図５】
2007072738.tif 000007
【図６】
2007072738.tif 000008
【図７】
2007072738.tif 000009
【図８】
2007072738.tif 000010
【図９】
2007072738.tif 000011